(57)【要約】      （修正有）【課題】連係するテキスタイルタイルを備えるモジュラーテキスタイルシステムを提供する。【解決手段】モジュラーテキスタイルシステム１００が、少なくとも１つのデザイン領域をそれぞれが含む複数の別個ではあるが連係するテキスタイルタイルを備え、別個のタイルの少なくとも２つは、実質的に同一の構成を有する少なくとも１つのデザイン領域を含む。【選択図】図１Ａ
2014147840.tif 000002
【特許請求の範囲】
【請求項１】
モジュラーテキスタイルシステムであって、
互いに連係する第１のタイル、第２のタイル及び第３のタイルを含む複数の別個のテキスタイルタイルを備え、前記第１のタイル、前記第２のタイル及び前記第３のタイルはそれぞれ、第１の方向に延びる第１の寸法、及び前記第１の方向に対して実質的に垂直な第２の方向に延びる第２の寸法を有し、前記第１のタイル、前記第２のタイル及び前記第３のタイルは全体で、それぞれの前記タイルの前記第１の寸法に沿って延びる複数のデザイン領域を含み、
前記複数のデザイン領域は、
前記第１の方向に延びる前記第１のタイル及び前記第２のタイルのそれぞれの縁部を画定する第１の連係デザイン領域対と、
前記第１の方向に延びる前記第２のタイル及び前記第３のタイルのそれぞれの縁部を画定し、前記第１の連係デザイン領域対とは異なる第２の連係デザイン領域対とを含む、モジュラーテキスタイルシステム。
【請求項２】
前記第１の連係デザイン領域対は、前記第１のタイル及び前記第２のタイルを互いに連係させ、
前記第２の連係デザイン領域対は、前記第２のタイル及び前記第３のタイルを互いに連係させ、
前記第２のタイルは、前記第１のタイル及び前記第２のタイルを互いに連係させる、請求項１に記載のシステム。
【請求項３】
前記第１の連係デザイン領域対は、第１のデザイン領域及び第２のデザイン領域を含み、前記第１のデザイン領域及び前記第２のデザイン領域は、互いに実質的に同一である、請求項１に記載のシステム。
【請求項４】
各デザイン領域はそれぞれ、前記第２の方向に延びる第２の寸法を有し、
前記第１のデザイン領域の前記第２の寸法は、前記第２のデザイン領域の前記第２の寸法とは異なる、請求項３に記載のシステム。
【請求項５】
前記第１のデザイン領域及び前記第２のデザイン領域はそれぞれ、モチーフ及び背景を含む、請求項３に記載のシステム。
【請求項６】
前記第１の連係デザイン領域対は、第１のデザイン領域及び第２のデザイン領域を含み、前記第１のデザイン領域及び前記第２のデザイン領域は、互いに外観が異なる、請求項１に記載のシステム。
【請求項７】
前記第１のデザイン領域は、モチーフ及び背景を含み、
前記第２のデザイン領域は、前記第１のデザイン領域の前記背景と実質的に同一の背景を含み、前記モチーフを含まない、請求項６に記載のシステム。
【請求項８】
前記第２のデザイン領域はさらに、いかなるモチーフも含まない、請求項７に記載のシステム。
【請求項９】
前記第１のデザイン領域は、それぞれの前記タイルの第１の寸法に沿って延びるデザイン要素を含み、前記第２のデザイン領域は、前記第１のデザイン領域のデザイン要素と実質的に同一のデザイン要素を含まない、請求項６に記載のシステム。
【請求項１０】
前記第１のデザイン領域の前記デザイン要素はアクセントストライプである、請求項９に記載のシステム。
【請求項１１】
複数の第１のタイルと、
複数の第２のタイルと、
複数の第３のタイルと、
を含むテキスタイル設置物を形成するように配置される、請求項１に記載のシステム。
【請求項１２】
モジュラーテキスタイルシステムであって、
第１のタイル、第２のタイル及び第３のタイルを含む複数のテキスタイルタイルを備え、前記第１のタイル、前記第２のタイル及び前記第３のタイルはそれぞれ、第１の方向に延びる第１の寸法、及び前記第１の方向に対して実質的に垂直な第２の方向に延びる第２の寸法を有し、前記第１のタイル、前記第２のタイル及び前記第３のタイルは全体で、それぞれの前記タイルの前記第１の寸法に沿って延びる複数のデザイン領域を含み、
各デザイン領域は構成を有し、
前記第１のタイルの少なくとも１つのデザイン領域は、前記第２のタイルの少なくとも１つのデザイン領域と実質的に同じ構成を有し、実質的に同じ構成を有する前記第１のタイル及び前記第２のタイルのそれぞれの前記デザイン領域は、前記第２の方向に延びるそれぞれの前記タイルの縁部に隣接し、
前記第２のタイルの少なくとも１つのデザイン領域は、前記第３のタイルの少なくとも１つのデザイン領域と実質的に同じ構成を有し、実質的に同じ構成を有する前記第２のタイル及び前記第３のタイルのそれぞれの前記デザイン領域は、前記第２の方向に延びるそれぞれの前記タイルの縁部に隣接する、モジュラーテキスタイルシステム。
【請求項１３】
前記複数のデザイン領域は、前記第１のタイル、前記第２のタイル及び前記第３のタイルそれぞれが別個の全体的構成を有するように構成される、請求項１２に記載のシステム。
【請求項１４】
各デザイン領域の前記構成は、糸タイプ、別個の糸タイプの数、及びタフティング仕様の少なくとも１つによって定められる、請求項１２に記載のシステム。
【請求項１５】
前記第１のタイルの前記デザイン領域と実質的に同じ構成を有する前記第２のタイルの前記デザイン領域は、前記第２のタイルの第１のデザイン領域であり、
前記第３のタイルの前記デザイン領域と実質的に同じ構成を有する前記第２のタイルの前記デザイン領域は、前記第２のタイルの第２のデザイン領域であり、
前記第２のタイルの前記第１のデザイン領域及び前記第２のデザイン領域は、前記第１の方向に延びる前記第２のタイルの両縁部を画定する、請求項１２に記載のシステム。
【請求項１６】
前記第２のタイルの前記第１のデザイン領域の前記構成、及び前記第２のタイルの前記第２のデザイン領域の前記構成は、互いに別個である、請求項１５に記載のシステム。
【請求項１７】
前記第１のタイルは３つのデザイン領域を含み、
前記第２のタイルは３つのデザイン領域を含み、
前記第３のタイルは４つのデザイン領域を含む、請求項１２に記載のシステム。
【請求項１８】
前記第１のタイルの前記３つのデザイン領域は互いに別個であり、
前記第２のタイルの前記３つのデザイン領域は互いに別個であり、
前記第３のタイルの前記４つのデザイン領域は互いに別個である、請求項１７に記載のシステム。
【請求項１９】
複数のタイルを形成するためのテキスタイルウェブであって、前記テキスタイルウェブは、長さ及び幅を有し、
前記テキスタイルウェブは、前記テキスタイルウェブの前記長さに沿って延び、それぞれが複数のデザインパラメーターによって定められる複数のデザイン領域を備え、
前記デザイン領域は、
第１のデザイン領域が、前記複数のタイルの第１のタイルと第２のタイルとの間に割り当てられるように、及び
第２のデザイン領域が、前記複数のタイルの前記第２のタイルと第３のタイルとの間に割り当てられ、前記第１のタイル、前記第２のタイル及び前記第３のタイルが前記テキスタイルウェブの前記幅にわたって互いに隣接するように構成される、テキスタイルウェブ。
【請求項２０】
前記第１のデザイン領域はモチーフを含む、請求項１９に記載のテキスタイルウェブ。
【請求項２１】
前記モチーフは、実質的に前記第１のデザイン領域にわたって延びる、請求項２０に記載のテキスタイルウェブ。
【請求項２２】
前記第１のデザイン領域が前記第１のタイルと前記第２のタイルとの間に割り当てられたときに、前記第１のタイルのみが前記モチーフを含むように、前記モチーフは、部分的に前記第１のデザイン領域にわたって延びる、請求項２０に記載のテキスタイルウェブ。
【請求項２３】
前記テキスタイルウェブの前記長さに沿って延びるアクセントストライプをさらに備える、請求項１９に記載のテキスタイルウェブ。
【請求項２４】
モジュラーテキスタイルシステムを作製する方法であって、
長さ及び幅を有するテキスタイルウェブを準備し、前記テキスタイルウェブの前記幅は、前記テキスタイルウェブの前記長さに沿って延びる第１のデザイン領域及び第２のデザイン領域を含む複数の別個のデザイン領域を含み、
前記第１のデザイン領域及び前記第２のデザイン領域のそれぞれが、それぞれの第１の部分及びそれぞれの第２の部分に分割されるように、前記テキスタイルウェブを、前記テキスタイルウェブの前記幅にわたって互いに実質的に隣接している第１のタイル、第２のタイル及び第３のタイルを含む複数のタイルに分割し、
前記第１のタイルが、前記第１のデザイン領域の前記第１の部分を含み、
前記第２のタイルが、
前記第１のデザイン領域の前記第２の部分と
前記第２のデザイン領域の前記第１の部分とを含み、
前記第３のタイルが、前記第２のデザイン領域の前記第２の部分を含む、方法。
【発明の詳細な説明】
【技術分野】
【０００１】
［関連出願の相互参照］
本願は、２００８年６月５日付けで出願された米国仮出願第６１／１３０，９９０号の米国特許法第１１９条（ｅ）項に基づく利益を主張する、２００８年７月１０日付けで出願された国際出願ＰＣＴ／ＵＳ２００８／００８４６８号の一部継続出願であり、上記出願の両方の全体が参照により援用される。
【背景技術】
【０００２】
モジュラーテキスタイルシステム、例えばカーペットタイルは、設置しやすいことから多くの床被覆用途で用いられてきた。いくつかのカーペットタイルは、得られる設置物（installation）が広幅織りカーペット設置物に似て見えるか又は模倣して見えるようにするために、隣接して設置されたタイル間の継目を目立たなくするように試みる小さな模様及び／又は複雑な模様を備えてデザインされている。逆に、無地でより単純又は古典的なデザイン要素は、カーペットタイルのモジュールの性質を強調する傾向があるため、このようなデザイン要素は避けられる場合が多い。
【発明の概要】
【発明が解決しようとする課題】
【０００３】
したがって、広幅織りカーペット設置物の外観を模倣しようとせずに、デザイナー及び／又は設置者がタイルの特定の配置又は継目に沿った模様の整列に制限されることなく自由に任意所望の全体的な模様又は美観を作り出すことができるようにする、テキスタイルシステムが必要とされている。その結果、所望であればより単純な模様及び／又は無地を用いることができる。
【課題を解決するための手段】
【０００４】
本開示は、包括的には、モジュラーテキスタイルシステム、該システムを作製する方法、及び該システムを形成するために用いられるテキスタイルウェブ又はテキスタイル基材に関する。モジュラーテキスタイルシステムは、複数の別個のカーペットタイルを含み、これらはそれぞれ、特定のセットのデザイン要素、特徴、及び／又はパラメーター、例えば、糸タイプ（例えば、色、光沢、撚り、パイル数、染料タイプ等）、別個の糸タイプの数、タフティング仕様又はパラメーター（例えば、質感、模様、モチーフ、レリーフ（パイル高さ）、アクセント要素の有無等）、及び／又は任意の他の適当なデザイン要素、特徴、及び／又はパラメーターによって定められる構成を有する少なくとも１つのデザイン領域を含む。それぞれのタイルが互いに連係するように、少なくとも１つのタイルは、少なくとも１つの他のタイルのデザイン領域の構成と実質的に同様の構成、場合によっては実質的に同じ構成を有するデザイン領域を含むタイルは、模様を継目に沿って一致させる必要も、タイルを例えばタフトの方向に対して特定の方向に整列させる必要もなく、ユーザーが所望する任意の方法で設置又は配置することができる。したがって、本モジュラーテキスタイルシステムは、ユーザーが所望する全体的美観を得るための相当な柔軟性及び創作の自由をユーザーに提供する。
【０００５】
特定の一例では、本モジュラーテキスタイルシステムは、第１のタイル、第２のタイル及び第３のタイルを含む、複数の別個のテキスタイルタイルを含み、これらは全体で、それぞれのタイルの第１の寸法に沿って延びる複数のデザイン領域を含む。複数のデザイン領域は、第１のタイル及び第２のタイルのそれぞれの縁部を画定する第１の連係デザイン領域対と、第２のタイル及び第３のタイルのそれぞれの縁部を画定する第２の連係デザイン領域対とを含む。第１の連係デザイン領域対及び第２の連係デザイン領域対は、互いに別個である。第１の連係デザイン領域対は、第１のタイル及び第２のタイルを互いに連係させ、第２の連係デザイン領域対は、第２のタイル及び第３のタイルを互いに連係させる。別個のタイルのすべてが設置物におけるそれらの相対位置及び／又は向きに関係なく互いに連係することができるように、第２のタイルは、第１のタイルと第２のタイルとの間の連係ブリッジとしての役割を果たす。本テキスタイルシステムを用いて、ユーザー（例えば、購入者又は観察者）が個人の好みに応じて、調和しておりかつ視覚的に魅力的であると考え得る無数の全体デザイン及び／又は模様を作り出すことができる。
【０００６】
本モジュラーテキスタイルシステムは、任意の適当な方法で形成することができ、一例では、タイルが単一のテキスタイルウェブから形成されるか又は得られる。テキスタイルウェブの幅は、テキスタイルウェブの長さに沿って延びる第１のデザイン領域及び第２のデザイン領域を含む複数の別個のデザイン領域を含む。テキスタイルウェブは、テキスタイルウェブの幅にわたって互いに実質的に隣接している第１のタイル、第２のタイル、及び第３のタイルを含む複数のタイルに分割される。その際に、第１のデザイン領域及び第２のデザイン領域それぞれが、それぞれの第１の部分及びそれぞれの第２の部分に分割されて、第１のタイルが第１のデザイン領域の第１の部分を含み、第２のタイルが第１のデザイン領域の第２の部分及び第２のデザイン領域の第１の部分を含み、第３のタイルが第２のデザイン領域の第２の部分を含むようになる。
【０００７】
本発明のいくつかの態様がタフテッドテキスタイルに関連して説明されるが、他の適当な技法を用いて形成されるテキスタイルも用いることができる。
【０００８】
他の特徴、態様、及び実施形態は、以下の説明及び添付図面から明らかとなるであろう。
【０００９】
説明は添付図面を参照して行い、添付図面のいくつかは概略的であり、いくつかの図を通して同様の参照符号は同様の部分を指す。
【図面の簡単な説明】
【００１０】
【図１Ａ】複数の別個のタイルを含む例示的なモジュラーテキスタイルシステムを概略的に示す図である。
【図１Ｂ】図１Ａのテキスタイルシステムを用いる例示的な設置物を概略的に示す図である。
【図１Ｃ】図１Ａのテキスタイルシステムを用いる例示的な設置物を概略的に示す図である。
【図１Ｄ】図１Ｂの設置物の変形形態を概略的に示す図である。
【図１Ｅ】図１Ｂの設置物の変形形態を概略的に示す図である。
【図１Ｆ】図１Ａのモジュラーテキスタイルシステムを形成するために用いられ得る例示的なテキスタイルウェブを概略的に示す図である。
【図２Ａ】モジュラーテキスタイルシステムを形成するために用いられ得る別の例示的なテキスタイルウェブを概略的に示す図である。
【図２Ｂ】図２Ａのテキスタイルウェブから形成される複数の別個のタイルを含む例示的なモジュラーテキスタイルシステムを概略的に示す図である。
【図２Ｃ】図２Ｂのテキスタイルシステムを用いる例示的な設置物を概略的に示す図である。
【図３Ａ】モジュラーテキスタイルシステムを形成するために用いられ得るさらに別の例示的なテキスタイルウェブを概略的に示す図である。
【図３Ｂ】図３Ａのテキスタイルウェブから形成される複数の別個のタイルを含む例示的なモジュラーテキスタイルシステムを概略的に示す図である。
【図３Ｃ】図３Ｂのテキスタイルシステムを用いる例示的な設置物を概略的に示す図である。
【図４Ａ】モジュラーテキスタイルシステムを形成するために用いられ得るまた別の例示的なテキスタイルウェブを概略的に示す図である。
【図４Ｂ】図４Ａのテキスタイルウェブから形成される複数の別個のタイルを含むまた別の例示的なモジュラーテキスタイルシステムを概略的に示す図である。
【図４Ｃ】図４Ｂのテキスタイルシステムを用いる例示的な設置物を概略的に示す図である。
【発明を実施するための形態】
【００１１】
図１Ａは、モジュラーテキスタイルシステム１００を概略的に示す。システム１００は概して、第１の方向Ｄ１に延びる第１の寸法（例えば長さ）Ｌ及び第１の方向に対して実質的に垂直な第２の方向Ｄ２に延びる第２の寸法（例えば幅）Ｗをそれぞれが有する、複数のテキスタイルタイルを含む。システム１００は、少なくとも第１のタイル１０２、第２のタイル１０４、及び第３のタイル１０６を含み、これらはそれぞれ、各タイル１０２、１０４、１０６の第１の寸法（例えば長さ）Ｌに沿って第１の方向Ｄ１に延びる少なくとも１つのタフティング又はデザイン領域１０８、１１０、１１２ａ、１１２ｂ、１１４、１１６ａ、１１６ｂ、１１８、１２０、１２２を含む。各デザイン領域は概して、各タイルの第１の寸法（例えば長さ）Ｌと実質的に等しい第１の寸法（例えば長さ）Ｌ、及び各タイル１０２、１０４、１０６の第２の寸法（例えば幅）Ｗの少なくとも一部に沿って第２の方向Ｄ２に延びる第２の寸法（例えば幅）Ｚ（そのうちの１つのみに符号が付いている）を有する。
【００１２】
各デザイン領域１０８、１１０、１１２ａ、１１２ｂ、１１４、１１６ａ、１１６ｂ、１１８、１２０、１２２は、ユーザーが知覚することができる特定のセットの視覚的及び／又は触覚的特徴（総称して「感覚的特徴」）（図では種々の塗りつぶしパターンで概略的に示す）を有するものとして特徴付けることができる。各領域に関連する特定のセットの感覚的特徴は、概して、複数のデザイン要素、特徴、及び／又はパラメーター、例えば、糸タイプ（例えば、色、光沢、撚り、パイル数、染料タイプ等）、別個の糸タイプの数、タフティング仕様又はパラメーター（例えば、質感、模様、モチーフ、レリーフ（パイル高さ）、アクセント要素の存在等）、及び／又は任意の他の適当なデザイン要素、特徴、及び／又はパラメーターの選択及び／又は組み合わせから得られる。このようなデザイン要素、特徴、及び／又はパラメーターの特定の組み合わせは、各領域の全体的構成（すなわち「領域構成」）を画定する。
【００１３】
図示の例では、第１のタイル１０２は、種々の幅Ｚ（そのうちの１つのみに符号が付いている）をそれぞれが有する３つの別個のデザイン領域（すなわち異なる構成を有するデザイン領域）１０８、１１０、１１２ａを含み、第２のタイル１０４は、種々の幅Ｚ（符号なし）をそれぞれが有する３つの別個のデザイン領域１１２ｂ、１１４、１１６ａを含み、第３のタイル１０６は、種々の幅Ｚ（符号なし）をそれぞれが有する４つの別個のデザイン領域１１６ｂ、１１８、１２０、１２２を含む。しかしながら、いずれのタイル１０２、１０４、１０６も、別個の構成を有する２つ以上のデザイン領域、実質的に同一の構成を有する２つ以上のデザイン領域、実質的に同様の構成を有する２つ以上のデザイン領域、又はそれらの任意の組み合わせを含むことができることが理解されるであろう。領域間の差異は、達成が望まれる全体的美観に応じて比較的微妙であってもよく、またより顕著であってもよい。
【００１４】
各タイル１０２、１０４、１０６の各領域は、任意の適当な幅を有し得る。概して、各領域は、少なくとも２つの編目列を包含し得るが、より典型的には、各領域は、得られる領域が少なくとも約１インチの幅を有するようにいくつかの編目列を含む。種々の独立した例のそれぞれにおいて、約２４インチの長さ及び約２４インチの幅を有するタイルの場合、各領域は、約１インチ〜約２２インチ、約３インチ〜約１５インチ、又は約４インチ〜約８インチの幅を独立して有し得る。さらなる独立した例のそれぞれにおいて、各領域は、約１インチ、約２インチ、約３インチ、約４インチ、約５インチ、約６インチ、約７インチ、約８インチ、約９インチ、約１０インチ、約１１インチ、約１２インチ、約１３インチ、約１４インチ、約１５インチ、約１６インチ、約１７インチ、約１８インチ、約１９インチ、約２０インチ、約２１インチ、又は約２２インチの幅を独立して有し得る。しかしながら、他の数のタイル、他の数の領域、他の領域幅、及び他のデザイン領域配置を用いてもよい。
【００１５】
タイルのデザイン領域の正確な組み合わせ、タイルの各デザイン領域の相対的比率、及びタイルのデザイン領域の配置又は相対位置は、各タイルの全体的構成（すなわち「タイル構成」）を全体で定める。図１Ａに概略的に示される例では、モジュラーテキスタイルシステム１００における各タイル１０２、１０４、１０６は別個の構成を有し、したがって、モジュラーテキスタイルシステムにおいて、他のそれぞれのタイルから得られる別個のセットの感覚的特徴がある。タイル間の差異は、比較的微妙であってもより顕著であってもよい。したがって、例えば、２つの別個のタイルは、１つ又は複数の実質的に同一のデザイン領域を含み得るが、このような領域の１つ又は複数の寸法及び／又は相対位置は、２つのタイル間で異なる。別個のタイルの他の対は、実質的に同一のデザイン領域を含まずに、異なる数のデザイン領域及び／又は異なるデザイン領域配置を含んでいてもよい。
【００１６】
特定のモジュラーテキスタイルシステムでは、少なくとも１つのタイルの少なくとも１つのデザイン領域が、別のタイルの少なくとも１つのデザイン領域と実質的に同様の構成を有し、場合によっては、別のタイルの少なくともデザイン領域と実質的に同じ構成を有する。さらに、いくつかの実施形態では、各タイルの少なくとも１つのデザイン領域が、別のタイルの少なくとも１つのデザイン領域と実質に同様の構成を有し、場合によっては、別のタイルの少なくともデザイン領域と実質的に同じ構成を有する。そのような領域は、それぞれのタイル間の感覚的接続を提供する連係領域としての役割を果たし得る。
【００１７】
図１Ａに示す実施形態では、タイル１０２、１０４、１０６それぞれの少なくとも１つのデザイン領域が、少なくとも１つの他のタイル１０２、１０４、１０６の少なくとも１つのデザイン領域の構成と実質的に同じ構成を有する。タイル１０２、１０４はそれぞれ、第１の連係領域対１１２ａ、１１２ｂを含み、タイル１０４、１０６はそれぞれ、第２の連係領域対１１６ａ、１１６ｂを含む。その結果、タイル１０２、１０４は互いに連係する（すなわち、一致する、又は「合う」）傾向があり、タイル１０４、１０６は互いに連係する傾向がある。さらに、タイル１０４はタイル１０２及びタイル１０６の両方と連係するため、タイル１０２、１０６に実質的に同じ構成を有するデザイン領域がない場合でも、タイル１０４がタイル１０２とタイル１０６との間に連続性を与える連係「ブリッジ」又は「リンク」としての役割を果たすことができる。したがって、「ブリッジ的」タイル１０４の使用により、タイル１０２、１０４、１０６のすべてを互いに連係させることができる。この例では、種々の連係領域１１２ａ、１１２ｂ、１１６ａ、１１６ｂが、第１の方向Ｄ１に延びるそれぞれのタイルの縁部に当接及び／又は縁部を画定することに留意されたい。しかしながら、連係領域は、所望の場合は異なって構成されてもよい。いくつかの実施形態では、連係領域は、それらの感覚的（すなわち、視覚的及び／又は触覚的）特徴が（領域幅に関係なく）互いに実質的に同一であるという点で、互いに実質的に同一であり得る。しかしながら、他の実施形態では、図２Ａ〜図３Ｃに関連してより詳細に説明するように、連係領域同士の外観は異なり得る。とはいえ、概して領域間には、そのような領域が互いに連係することが意図されることがユーザーにとって明らかであるような十分な視覚的接続がある。
【００１８】
図１Ｂは、図１Ａのカーペットタイル１０２、１０４、１０６のそれぞれを複数含む例示的な設置物１２４を示す。限定のためでなく図示のために、各タイプのタイル１０２、１０４、１０６をそれぞれＡタイル、Ｂタイル、Ｃタイルと呼ぶ。この例示的な設置物では、同量のＡタイル、Ｂタイル、Ｃタイルが、隣接するタイルの縁部を互いに整列させて並んだブロック反復配置で配置されている。タイルの配置は、「方向性がない」ように見える場合がある。すなわち、タイルがその列の他のタイルに対して無作為な向きであるように見える場合がある。タイルのこの任意に見える配置にもかかわらず、Ａタイル、Ｂタイル、Ｃタイルは互いに連係するため、ユーザーはこれらのタイルの全体的配置を視覚的に調和しているものとみなすことができる。タイルが水平アシュラー又はブリック配置で並べられている図１Ｃに示す別の例示的な設置物１２６では、タイルの配置は、「方向性がある」ように見える場合がある。すなわち、タイルが特定の様式の向きであるように見える場合がある。この例では、デザイン領域が（例えば、複数の実質的に連続したバンド又はストライプを形成するように）互いに整列していなくても、タイルが互いに連係しているため、設置物全体は、（まとまりがないか又は不規則なのではなく）まとまりがあり調和しているとみなすことができる。
【００１９】
タイルの配置は無数に考えられ、そのそれぞれが異なる全体的美観又は印象を提供することができ、様々な設置方法を用いて種々の方向性がない外観及び方向性のある外観を達成することができることが、明らかとなるであろう。このような設置物は、順目、市松、ハーフターン（half-turn）、水平又は垂直アシュラー、ランダム、又は任意の他の適当な方法又は構成とすることができる。当然ながら、タイルの特定の配置が許容可能であるか又は望ましいか（例えば、見た目がよい又は調和している）は、ユーザーの個人的嗜好及び好みに基づいて主観的であることが理解されるであろう。したがって、タイルは、特定のユーザーが求める所望の全体的「見た目」を達成するために必要に応じて再位置決め、方向転換、又は他の形で操作することができる。
【００２０】
継目にわたって模様を一致させるか又はタフト方向に従う必要性による制約を受けることなくタイルを自由に配置できることで、タイルの初期設置及び１つ又は複数の損傷及び／又は摩耗したタイルの交換の両方を大幅に単純化することができる。さらに、Ａタイル、Ｂタイル、Ｃタイル間で色が変わり得るため、ユーザーは、例えば既存の設置物のタイルを交換するときに隣接するタイル間の違いを気にする必要がない。一例として、図１Ｄ及び図１Ｅは、中央のタイル（Ａタイプ）がそれぞれＢタイル及びＣタイルで置き換えられている、図１Ｂのタイルの配置を概略的に示す。図１Ｄ及び図１Ｅにおいて得られる設置物１２８、１３０は、図１Ｂに示す元の設置物とはわずかに異なるが、それにもかかわらずＡタイル、Ｂタイル、Ｃタイルの各配置は、特定のユーザーの好みに応じて調和しておりかつ見た目がよいとみなされ得る。
【００２１】
所望であれば、設置物をより一層単純化するために、モジュラーテキスタイルシステム１００は、各カートンに同数のＡタイル、Ｂタイル、Ｃタイルを含むように梱包することができる。例えば、Ａタイル、Ｂタイル、及びＣタイルが４つずつ含まれる１２個のタイルをカートンが含んでいてもよい。タイルは、例えばタイルＡ、Ｂ、Ｃ、Ａ、Ｂ、Ｃ等（又はＢ、Ｃ、Ａ、Ｂ、Ｃ、Ａ、又は任意の他の序列）の整序された積み重ねでパッケージ内に配置することもできる。タイルをこのように梱包することにより、ユーザーは、タイルをカートンから取り出してそれらを順次設置し、タイルを所望に応じた位置決め及び向きにしてユーザーの好みに従った全体デザインを作り出すことができる。代替的に、Ａタイル、Ｂタイル、Ｃタイルが別々に梱包されることで、ユーザーの好みに従ってよりカスタマイズされた設置物を作り出すために任意の割合及び／又は様式でＡタイル、Ｂタイル、Ｃタイルを取得及び設置するための創作の自由をユーザーに与えることができる。
【００２２】
図１Ｆは、図１Ａのモジュラーテキスタイルシステム１００を形成する例示的な方法を概略的に示す。この例では、単一のテキスタイルウェブ１３２を用いて、上述のような複数の別個ではあるが連係したタイル１０２、１０４、１０６が形成される。しかしながら、モジュラーテキスタイルシステムを作製する他の方法も考えられる。
【００２３】
テキスタイルウェブ１３２が、縦、機械方向Ｄ１に延びる第１の寸法Ｍ（例えば長さ）及び横方向Ｄ２に延びる第２の寸法Ｔ（例えば幅）を含む。テキスタイルウェブ１３２の幅Ｔは、テキスタイルウェブ１３２の長さＭに沿って機械方向Ｄ１に延びる複数の実質的に別個のデザイン領域１０８、１１０、１１２、１１４、１１６、１１８、１２０、１２２に分割される（種々の塗りつぶしパターンを用いて概略的に示す）。各領域が任意の適当な幅を有し得る。例えば、種々の独立した例のそれぞれにおいて、約８０インチの幅を有するテキスタイルウェブの場合、各領域は、約１インチ〜約４４インチ、約２インチ〜約３６インチ、約６インチ〜約３０インチ、又は約８インチ〜約１６インチの幅を独立して有し得る。しかしながら、他の領域幅及び領域幅の範囲も考えられる。
【００２４】
上述のように、各デザイン領域１０８、１１０、１１２、１１４、１１６、１１８、１２０、１２２は、いずれも領域ごとに異なり得る複数のデザイン要素、特徴、及び／又はパラメーターを用いて形成することができる。各領域の構成の差異は、達成が望まれる全体的美観に応じて比較的微妙であってもより明らかであってもよい。例えば、所望であれば、各タイルの所望の全体的構成及び設置されたモジュラータイルシステム（図１Ｂ〜図１Ｅ）の所望の全体的美観を提供するための必要に応じて、単色又は多色の糸から種々の領域を形成することができる。さらに、領域の相対色は、得られるタイルに暖色寄り及び寒色寄りの色調範囲を提供するように選択することができる。例えば、第１のタイルが第２のタイルのデザイン領域の色よりも寒色寄りの色を有するデザイン領域を含み、第２のタイルが第３のタイルのデザイン領域の色よりも寒色寄りの色であり得ることで、第３のタイルが最も暖色系の色を含むように、テキスタイルウェブ１３２の領域が構成され得る。多くの他の可能性も考えられる。
【００２５】
テキスタイルウェブ１３２は、図１Ｆに破線で概略的に示すように複数のタイルに配分又は分割することができる。この例では、テキスタイルウェブ１３２は、テキスタイルウェブ１３２の幅Ｔにわたって互いに実質的に隣接している３つの実質的に正方形のタイル１０２、１０４、１０６に分割される。図１Ａに関連して説明したように、領域１１２がタイル１０２とタイル１０４との間で共有され、領域１１６がタイル１０４とタイル１０６との間で共有されるように、少なくとも１つのデザイン領域、この例では２つのデザイン領域１１２、１１６が、それぞれの第１の部分１１２ａ、１１６ａ及びそれぞれの第２の部分１１２ｂ、１１６ｂに分割される。具体的には、タイル１０２はデザイン領域１１２の第１の部分１１２ａを含み、タイル１０４はデザイン領域１１２の第２の部分１１２ｂを含む。同様に、タイル１０４はデザイン領域１１６の第１の部分１１６ａを含み、タイル１０６はデザイン領域１１６の第２の部分１１６ｂを含む。部分的領域１１２ａ、１１２ｂ及び１１６ａ、１１６ｂの各対が等しい幅又は等しくない幅を持ち得るように、デザイン領域１１２、１１６が等分又は不等分に分割され得る。図１Ａに関連して説明したように、領域１１２ａ、１１２ｂ及び１１６ａ、１１６ｂは、タイル１０２、１０４、１０６の連係領域としての役割を果たす。残りの領域１０８、１１０、１１４、１１８、１２０、１２２は、独立又は別個の領域であり得る。
【００２６】
テキスタイルウェブ１３２の長さＭも、タイル１０２、１０４、１０６と同様の複数のタイルに分割（すなわち切断）され得る。説明のために、最も左側の位置にある各タイル（例えばタイル１０２）を「Ａ」タイルと呼び、中間位置にある各タイル（例えばタイル１０４）を「Ｂ」タイルと呼び、最も右側の位置にある各タイル（例えばタイル１０６）を「Ｃ」タイルと呼ぶ場合がある。各タイルＡは、他のタイルＡそれぞれと実質的に同じ構成を有し、各タイルＢは、他のタイルＢそれぞれと実質的に同じ構成を有し、各タイルＣは、他のタイルＣそれぞれと実質的に同じ構成を有する。しかしながら、いくつかの実施形態では、１つ又は複数のデザイン領域の外観がタイルごとに異なり得るため、ウェブの長さに沿って切断された各タイルが同じタイプ（すなわち、同じ位置内で、例えばタイルＡ、タイルＢ、タイルＣ）の他のタイルそれぞれと外観が全く同じではない場合がある。さらに、前述のように、各対の連係領域の外観が同一でなくてもよい。例えば、より詳細に後述するように、連係領域は、タフティングプロセスのばらつきにより引き起こされる外観のわずかな相違があってもよく、模様又はモチーフ（存在する場合）の構成が多少異なっていてもよく、かつ／又は１つ又は複数の付加的なデザイン特徴又は要素を含んでいてもよい。
【００２７】
例えば、図２Ａ〜図３Ｃは、特定のタイプの連係領域及び／又はタイルの外観が異なる、種々のテキスタイルウェブ、モジュラーテキスタイルシステム、及びモジュラーテキスタイル設置物を示す。種々のテキスタイルウェブ、モジュラーテキスタイルシステム、及びモジュラーテキスタイル設置物は、言及される変形形態及び当業者に理解されるであろう変形形態を除き、図１Ａ〜図１Ｆに示すものと同様の特徴を含む。簡単のために、同様の特徴の参照符号は、図中で「１」の代わりに「２」（図２Ａ〜図２Ｃ）又は「３」（図３Ａ〜図３Ｃ）で始まっている。領域の数、領域の配置、各領域の幅等が各実施形態で変わり得ること、及び図示の実施形態にいかなる方法による限定の意図もないことに留意されたい。
【００２８】
図２Ａに示す実施形態では、領域２１２が、複数の矩形及び正方形を備えるデザイン要素又はモチーフ２３４を含み、矩形及び正方形のいくつかが互いに重なっている。しかしながら、任意の適当なモチーフを本開示に従って用いることができる。モチーフは、単純であっても複雑であってもよく、目立たなくても目立ってもよく、モジュラーテキスタイルシステムの残りの色と一致する及び／又は対照的な色を含んでいてもよい。例えば、領域の背景が残りの領域と一致する色を有し得る一方で、モチーフが背景に対してより目立つ色を有し得る。代替的に、モチーフが残りの領域と一致する色を有し得る一方で、背景がより目立つ色を有し得る。説明のために、領域２１２の背景２３６及び種々の他のデザイン領域２０８、２１０、２１４、２１６、２１８、２２０、２２２が、種々の色合いの茶色を含み得る一方で、モチーフ２３４が、残りの領域の茶色の色の幅に対して視覚的に目立つ赤色又は別の色であり得る。代替的に、モチーフ２３４及び種々の他のデザイン領域２０８、２１０、２１４、２１６、２１８、２２０、２２２が、種々の色合いの茶色を含み得る一方で、領域２１２の背景２３６が、残りの領域及びモチーフの茶色の色の幅に対して視覚的に目立つ赤色又は別の色を含み得る。他の例では、特定の領域のモチーフ及び背景の両方が、他の領域と一致する色を有し得る。さらに他の例では、特定の領域のモチーフ及び背景の両方が、他の領域よりも目立つ色を有し得る。多くの可能性が考えられる。
【００２９】
モチーフを含む領域が共有領域である場合、実質的に同じ構成を有しているにもかかわらず、得られる連係領域の外観が互いにわずかに異なり得ることが理解されるであろう。共有領域のそれぞれの部分の外観の差異の程度は、テキスタイルウェブにおける領域の配置、各領域の幅、領域内のモチーフのサイズ、形状、及び構成、モチーフの反復単位の長さ及び幅、及びテキスタイルウェブから切断されるタイルのサイズを含むがこれらに限定されない多くの因子に応じて変わり得る。例えば、図２Ａのモチーフ２３４は、第１のタイル２０２と第２のタイル２０４との間の境界線に沿って（すなわち破線に沿って）非対称であり、得られる連係領域２１２ａ、２１２ｂは、図２Ｂに示すように異なる配置の正方形及び矩形を含み得る。しかしながら、このような領域２１２ａ、２１２ｂは、タイル２０２と２０４との間に感覚的接続を与えるのに十分な相似性が領域間にあるため、連係領域としての役割を依然として果たし得る。
【００３０】
いくつかの実施形態では、モチーフの全体が、共有領域を含むタイルの対の一方のタイル内にあり得ることで、タイルの得られる連係領域同士の外観が実質的に異なり得る。例えば、図３Ａに示す実施形態では、テキスタイルウェブ３３２は、一部が全体的にブレードに似ている不均一幅の曲線から成るモチーフ３３４を含む。テキスタイルウェブ３３２がタイル３０２、３０４、３０６（図３Ｂ）に切断されると、モチーフ３３４の全体が背景３３６に対してタイル３０２の領域３１２ａ内にある一方で、タイル３０４の領域３１２ｂは背景３３６のみを含む。とはいえ、各領域３１２ａ、３１２ｂの背景３３６が実質的に同じ構成を有し、領域３１２ａ、３１２ｂが実質的に同様の全体的構成を有するため、領域の背景間には、領域が互いに連係することが意図されることが明らかであるような十分な視覚的接続がある。
【００３１】
場合によっては、図３Ｂの領域３１２ａ、３１２ｂに関して上述したような、外観が著しく異なる連係領域を有するタイル間の視覚的接続を高めることが望ましい場合がある。１つの例示的な方法によれば、例えば、モチーフ色を含むまだら色プロファイル（mottled color profile）を有する背景を提供するように背景の糸のタフティング高さを調整することによって、モチーフの色が共有領域の背景に組み込まれ得る。背景にモチーフ色があることで、さらなる感覚的接続を与えることができ、かつ／又は領域間の他の感覚的接続を強化することができる。例えば、モチーフ３３４が紫色である場合、背景３３６は、他の背景色（複数可）と混合された紫色を含むようにタフティングされ得る。モチーフ３３４及び背景３３６の両方に紫色があることで、モチーフ３３４と背景３３６との間に、したがって領域３１２ａと領域３１２ｂとの間に連続性が形成される。
【００３２】
選択されるモチーフ及びモチーフの反復単位の長さに応じて、特定の領域の外観がタイルごとに異なり得ることも理解されるであろう。例えば、図３Ａに示す実施形態では、モチーフ３３４の反復単位Ｒが２つのタイル３０２ａ、３０２ｂの長さに及ぶ。その結果、モジュラーテキスタイルシステム３００は、２つの視覚的に別個のＡタイルＡ１、Ａ２（図３Ｂ）を含む。とはいえ、モチーフ３３４を含む各タイル（すなわちタイルＡ）の外観が全く同一ではない場合であっても、モジュラーテキスタイルシステム３００が概して３つのタイプのタイルを含むことは観察者に明らかとなるであろう。
【００３３】
所望であれば、タイルのいずれかに、より目立つ外観を有する１つ又は複数の付加的なデザイン要素又は特徴を設けてもよい。所望の視覚的印象又は効果を得るための必要に応じて、任意の数、形状、及び配置のそのような要素を用いることができる。例えば、付加的なデザイン要素は、バンド、ストライプ、一対の平行線、スクイグル、渦巻き、波形、曲線、又は任意の他の適当な形状を含み得る。テキスタイルシステムの美観を変えるために、タイルの連係を促進するために、又は任意の他の適当な目的のために、このような要素を用いることができる。
【００３４】
例えば、図２Ａに示す実施形態では、複数のアクセントストライプ２３８、２４０、２４２、２４４、２４６、２４８が、テキスタイルウェブ２３２の長さＭに沿って領域２１０、２１４、２１６、２１８、２２０内に延びている。（図３Ａ〜図３Ｃに示す実施形態が、本明細書では個別に説明しない同様のアクセントストライプ３４８、３５０、３５２、３５４、３５６、３５８を含むことに留意されたい。）アクセントストライプがそれぞれの領域内の（かつ／又はモジュラーテキスタイルシステムの他の領域に対する）対照（すなわち「コントラスト」）要素又は特徴としての役割を果たすように、アクセントストライプのそれぞれは、それぞれの領域の残りの部分とは異なる色を有し得る。例として、アクセントストライプ２３８、２４０、２４２、２４４、２４６、２４８が、赤色、黄色、白色、黒色、青色、緑色、紫色、又は任意の他の適当な色であり得る一方で、テキスタイルウェブ２３２の残りの部分は、概して一定範囲のアーストーンを含み得る。代替的に、アクセントストライプの存在がより目立たないように、アクセントストライプは概して、その領域の残りの部分と同じ色相だが異なる色（すなわち、異なる値又は彩度）を有し得る。
【００３５】
図示の実施形態では、アクセントストライプは、テキスタイルウェブ２３２がタイルに切断されると、タイル２０２が１つのアクセントストライプ２３８を有し、タイル２０４が３つのアクセントストライプ２４０、２４２、２４４を有し、タイル２０６が２つのアクセントストライプ２４６、２４８を有するように位置決めされる。各タイルが他のタイルそれぞれと連係するように、異なるタイルのアクセントストライプの少なくともいくつかが実質的に同じ色を有する。一実施形態では、種々のタイルのアクセントストライプは、以下のように構成され得る：
タイル２０２＝アクセントストライプ２３８（色１）；
タイル２０４＝アクセントストライプ２４０（色２）、アクセントストライプ２４２（色３）、及びアクセントストライプ２４４（色１）；
タイル２０６＝アクセントストライプ２４６（色４）及びアクセントストライプ２４８（色３）。
ここで、色１、２、３、及び４は任意の適当な色であり得る。このように、タイル２０２のアクセントストライプ２３８は、タイル２０４の１つのアクセントトライプ２４４と一致し、タイル２０４の１つのアクセントストライプ２４２は、タイル２０６の１つのアクセントストライプ２４８と一致する。タイル２０４は、タイル２０２、２０６の両方のアクセントストライプと同じ色を有するアクセントストライプを含むため、タイル２０４のアクセントストライプは、タイル２０２とタイル２０６との間にさらなる連続性を与えることにより、タイル２０４のブリッジ能力を高めることができる。しかしながら、このような要素の他の配置が用いられてもよい。
【００３６】
このようなデザイン要素がテキスタイルウェブの共有領域で用いられる場合、いくつかの実施形態では、タイルの得られる連係領域同士の外観が異なるように、デザイン要素の全体が一方のタイル内にあり得る。例として、図２Ａ及び図２Ｂでは、アクセントストライプ２４２、２４４の全体が背景２５０に対してタイル２０４の領域２１６ａ内にある一方で、タイル２０６の領域２１６ｂは背景２５０のみを含む。とはいえ、そのような領域同士の構成及び外観が実質的に同様であるため、そのような領域が互いに連係することが意図されることがユーザーにとって明らかであろうから、これらの領域は連係領域としての役割を依然として果たし得る。
【００３７】
図２Ｃ及び図３Ｃの例示的な設置物２２４、３２４で概略的に示すように、デザイン要素（例えば、模様、モチーフ、コントラスト要素、又は他のデザイン要素）の存在及び／又は連係領域の変化が、設置物全体の種々の別個のタイル間での連続性を維持しつつモジュラーテキスタイルシステムに新たな視覚的「寸法」を与え得ることを理解されたい。さらに、本開示のモジュラーテキスタイルシステムでは、典型的な広幅織りの設置物の場合に圧倒的に用いられると思われる模様又はモチーフをデザイナーが用いることができる。例えば、モチーフ２３４をテキスタイルウェブの長さ及び幅にわたって連続的に反復させた場合、設置物の全体的外観は、観察者によっては「複雑」すぎると感じるかもしれない。しかしながら、同じモチーフ２３４を本発明のモジュラーテキスタイルシステムに従って用いると、モチーフ２３４のいくらか分割された外観がより目立たず控え目になり、場合によっては装飾的象眼に似たものになり得ることが有利である。
【００３８】
上記例のそれぞれにおいて、各タイル上及びテキスタイルウェブ上の領域の配置は非対称である。しかしながら、所望であれば対称配置を用いてもよい。例えば、図４Ａは、得られるタイルそれぞれが領域の実質的に対称配置を含むように配置されている複数のデザイン領域を含むテキスタイルウェブ４００を示す。具体的には、テキスタイルウェブ４００の幅Ｔが、テキスタイルウェブ４００の長さＭに沿った機械方向に延びる７つの別個のデザイン領域４０２、４０４、４０６、４０８、４１０、４１２、４１４に分割される。領域４０２、４１４が実質的に等しい幅Ｚ１を有し、領域４０４、４０８、４１２が実質的に等しい幅Ｚ２を有し、領域４０６、４１０が実質的に等しい幅Ｚ３（幅Ｚ１のおよそ２倍）を有するため、３タイルシステム４２２の各タイル４１６、４１８、４２０（図４Ｂ）は、それぞれのタイル４１６、４１８、４２０の幅に沿った中央にある幅Ｚ２を有するデザイン領域４０４、４０８、４１２と、それぞれの中央領域４０４、４０８、４１２の各側に配置される幅Ｚ１を有するそれぞれ２つの縁部領域４０２、４０６ａ、４０６ｂ、４１０ａ、４１０ｂ、４１４とを含む。
【００３９】
上述のように、タイル４１６、４１８、４２０は、任意の適当な方法で設置され得る。図４Ｃに示す１つの例示的な方向性がない設置物４２４では、タイルの配置が斜子織りに似ている。しかしながら、他の構成も考えられる。さらに、他の実施形態では、タイル４１６、４１８、４２０は、モジュラーテキスタイルシステム４２２の所望の美観を得るための必要に応じて、１つ又は複数のデザイン要素又は特徴（例えば、モチーフ又は他の要素）を含み得る。
【００４０】
本開示のいくつかの態様が以下の実施例を参照して説明され得るが、この実施例は決して限定的なものと解釈してはならない。
【実施例】
【００４１】
実施例１
図１Ａのシステム１００と同様の種々のモジュラーテキスタイルシステムを、図１Ｆに関連して説明した方法に従って異なる色展開（すなわち配色）で準備した。テキスタイルウェブは、幅を約７２インチ（約１．８３ｍ）とした。テキスタイルウェブの幅を、それぞれ幅が約２４インチ（約０．６ｍ）で長さが約２４インチ（約０．６ｍ）の３つのタイルに切断した。
【００４２】
使用した色展開ごとに、デザイン領域は以下のように特徴付けることができる。
１０８−高テクスチャード、幅約４．７５インチ（約０．１２１ｍ）
１１０−高レリーフ、チップシャー、幅約６．３７５インチ（約０．１６２ｍ）
１１２−ピンストライプ模様、幅約１７．５インチ（約０．３３ｍ）
１１４−高レリーフ、チップシャー、幅約６．１２５インチ（約０．１５６ｍ）
１１６−「ツイード」スタイルレベルループ織り、幅約１７．５インチ（約０．４４５ｍ）
１１８−高レリーフ、高光沢糸、チップシャー、幅約６．４３７５インチ（約０．１６４ｍ）
１２０−「サイザル麻」スタイル織り、幅約１１．６２５インチ（約０．２９５ｍ）
１２２−高テクスチャード、幅約１．８７５インチ（約０．０４８ｍ）
【００４３】
タイルに切断すると、領域１１２ａは幅が約１３インチ（約０．３３ｍ）、領域１１２ｂは幅が約４．５インチ（約０．１１４ｍ）、領域１１６ａは幅が約１３．２５インチ（約０．３３７ｍ）、領域１１６ｂは幅が約４．２５インチ（約０．１０８ｍ）となった。
【００４４】
さらに、Ａタイプタイルは寒色寄りの色を用いて形成し、Ｃタイプタイルは暖色寄りの色を用いて形成し、ＢタイプタイルはＡタイルの色とＣタイルの色との間の色を用いて形成した。多くの異なる全体的デザインを形成するために、種々の技法を用いてタイルを設置した。
【００４５】
上記説明は、３つの別個のタイルデザインを含むモジュラーテキスタイルシステムを対象としているが、他の数のタイルデザインが考えられることに留意されたい。したがって、システムは、２つ、３つ、４つ、５つ、又は任意の他の適当な数の別個のタイルスタイルを含むことができる。このようなシステムでは、多くの他の梱包技法を用いて、設置を容易にすること及び／又は設置者が所望の美観を作り出すのを助けることができる。
【００４６】
さらに、多くの他の方法を用いて本開示によるモジュラーテキスタイルシステムが形成され得ることが理解されるであろう。例えば、テキスタイルウェブに、ウェブにわたって反復する複数の１つのタイプのタイル（例えば、Ａ、Ｂ、又はＣ）を設けることができ、適宜これを複数のタイルに切断してもよい。このような方法では、別個のタイルの数は概して、ウェブの数と等しくなり得る（例えば、３つの別個のタイルで３つのテキスタイルウェブ）。４つの別個のタイルを含む別の例では、２つ以上のウェブを用いて各タイルタイプを作り出すことができる。例えば、タイルタイプＡ及びタイルタイプＢの準備に１つのテキスタイルウェブを用いることができる一方で、タイルタイプＣ及びタイルタイプＤの準備には別のテキスタイルウェブが用いられる。続いて、タイルを所望に応じて整序するか又は組み立ててユーザーに提供することができる。無数の他の可能性がここで考えられる。
【００４７】
本明細書で説明されるか又はここで考えられる種々のテキスタイルウェブのいずれもが、ロール品として、単独で又はタイルと組み合わせて用いられ得ることも留意されたい。テキスタイルウェブは、多くのデザイン領域及びデザイン要素を含むため、得られる設置物は、通常はカスタムのデザイン、製造、及び／又は設置技法を用いてしか従来では達成できない多次元的外観を有することができる。
【００４８】
種々のテキスタイルシステムのいずれもが、単独で又は他のテキスタイルシステムと組み合わせて（例えば、テキスタイルコレクションの一部として）展示又は提示され得ることを理解されたい。例えば、１つ又は複数のテキスタイルシステムを、潜在的購入者が見ることができる実際のカーペットサンプル又は見本、カーペットサンプルの画像、使用時のカーペットタイルの写真、及び／又は任意の他の製品情報の任意の組み合わせを含む本又はバインダーに展示又は提示することができる。
【００４９】
各テキスタイルシステムが複数の別個のタイルを含むため、実際のテキスタイル見本を含む展示品は別個のタイルスタイルを１つしか含まない展示品よりも扱いにくい場合があることを理解されたい。これは、テキスタイルシステムのコレクションが提示される場合、例えば特定のスタイルが複数の配色で提案される場合に特に当てはまる。そのような場合、通常用いられるよりも小さなサイズの見本を準備することが有益であろう。このような見本は、各デザイン領域及びデザイン要素の相対的比率がサンプル内で保たれるようにしたテキスタイルウェブの縮小版から形成することができる。このように、潜在的購入者は、大きすぎるサンプル本又はサンプルバインダーを必要とすることなく１つ又は複数の配色でテキスタイルシステム全体を見ることができる。
【００５０】
代替的又は付加的に、提示物又は展示物は、１つ又は複数の「仮想」サンプルを含んでいてもよい。仮想サンプルは、全体が参照により本明細書に援用される２００７年１２月２７日に公開された米国特許出願公開第２００７−０２９８３８２号に記載のような有形媒体、例えば紙に印刷又は他の形で提示される実質的に正確な画像又は提示物である。提示物を不完全にすることなく１つ又は複数のサンプルを省くことができるように、タイルスタイル及び／又は配色ごとに複数の仮想サンプルが提供され得る。このようなサンプルは、別個のタイルの種々の配置をシミュレートするために、種々の設置技法を想定するために、又は任意の他の適当な目的で用いることができる。
【００５１】
上記開示に鑑みて、本発明は幅広く実用及び応用が可能であることが当業者には容易に理解されるであろう。特定の実施形態又は態様が開示されているが、本開示は本発明を単に説明及び例示するものであり、本発明の完全かつ実施可能な程度の開示を提供するため及び発明がなされた時点で本発明者らに既知であった発明を実施する最良の形態を記載するために行われているにすぎないことが理解されるであろう。何が美学的又は視覚的に好ましい又は望ましいかは、人によって個人的嗜好に応じて異なる本質的に主観的な問題であるため、本発明により意図される単一の配置が必ずしも万人に望まれるか又は受け入れられる外観を達成するとは限らないことも理解されるであろう。
【００５２】
本発明の実体又は範囲から逸脱せずに、多くの適合形態、変形形態、変更形態、及び均等な配置が本発明及び上記のその詳細な説明から明らかとなるか又は合理的に示唆されるであろう。種々の実施形態を参照して説明した種々の要素を交換して、本発明の範囲内に入る全く新しい実施形態を作り出してもよいことが認識されるであろう。したがって、上記説明に含まれているか又は添付図面に示されている事項は全て、単なる説明と解釈されるものとし、本発明の他のいかなる実施形態、適合形態、変形形態、変更形態、及び均等な配置も限定又は他の形で除外する意図はなく、またそのように解釈されてはならない。
【図１Ａ】
2014147840.tif 000003
【図１Ｂ】
2014147840.tif 000004
【図１Ｃ】
2014147840.tif 000005
【図１Ｄ】
2014147840.tif 000006
【図１Ｅ】
2014147840.tif 000007
【図１Ｆ】
2014147840.tif 000008
【図２Ａ】
2014147840.tif 000009
【図２Ｂ】
2014147840.tif 000010
【図２Ｃ】
2014147840.tif 000011
【図３Ａ】
2014147840.tif 000012
【図３Ｂ】
2014147840.tif 000013
【図３Ｃ】
2014147840.tif 000014
【図４Ａ】
2014147840.tif 000015
【図４Ｂ】
2014147840.tif 000016
【図４Ｃ】
2014147840.tif 000017
【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
モジュラーテキスタイルシステムであって、
互いに連係する第１のタイル、第２のタイル及び第３のタイルを含む複数の別個のテキスタイルタイルを備え、前記第１のタイル、前記第２のタイル及び前記第３のタイルはそれぞれ、第１の方向に延びる第１の寸法、及び前記第１の方向に対して実質的に垂直な第２の方向に延びる第２の寸法を有し、
前記第１のタイル、前記第２のタイル及び前記第３のタイルは全体で複数のデザイン領域を含み、前記デザイン領域が各タイルの前記第２の寸法にわたって別個の領域を画定するように、前記デザイン領域のそれぞれは、前記タイルのそれぞれの前記第１の寸法と同じ長さと、前記タイルのそれぞれの前記第２の寸法の一部に対応する幅とを有し、
前記複数のデザイン領域は、
前記第１の方向に延びる前記第１のタイル及び前記第２のタイルのそれぞれの縁部を画定する第１の連係デザイン領域対であって、前記第１の連係デザイン領域対の少なくとも一つのデザイン領域がモチーフを備える、第１の連係デザイン領域対と、
前記第１の方向に延びる前記第２のタイル及び前記第３のタイルのそれぞれの縁部を画定し、前記第１の連係デザイン領域対とは異なると共に、前記第１の連係デザイン領域対の前記少なくとも一つのデザイン領域の前記モチーフを備えない第２の連係デザイン領域対とを含む、モジュラーテキスタイルシステム。
【請求項２】
前記第１の連係デザイン領域対は、第１のデザイン領域及び第２のデザイン領域を含み、前記第１の連係デザイン領域対の前記第１のデザイン領域及び前記第１の連係デザイン領域対の前記第２のデザイン領域は、互いに実質的に同一である、請求項１に記載のシステム。
【請求項３】
前記第１の連係デザイン領域対の前記第１のデザイン領域の前記幅は、前記第１の連係デザイン領域対の前記第２のデザイン領域の前記幅とは異なる、請求項２に記載のシステム。
【請求項４】
前記第１の連係デザイン領域対の前記第１のデザイン領域及び前記第１の連係デザイン領域対の前記第２のデザイン領域はそれぞれ、前記モチーフを含む、請求項２又は３に記載のシステム。
【請求項５】
前記第１の連係デザイン領域対は、第１のデザイン領域及び第２のデザイン領域を含み、前記第１の連係デザイン領域対の前記第１のデザイン領域及び前記第１の連係デザイン領域対の前記第２のデザイン領域は、互いに外観が異なる、請求項１に記載のシステム。
【請求項６】
前記第１の連係デザイン領域対の前記第１のデザイン領域は、前記モチーフ及び背景を含み、
前記第１の連係デザイン領域対の前記第２のデザイン領域は、前記第１の連係デザイン領域対の前記第１のデザイン領域の前記背景と実質的に同一の背景を含み、前記第１の連係デザイン領域対の前記第１のデザイン領域の前記モチーフを含まない、請求項５に記載のシステム。
【請求項７】
前記第１の連係デザイン領域対の前記第２のデザイン領域は、前記モチーフ及び背景を含み、
前記第１の連係デザイン領域対の前記第１のデザイン領域は、前記第１の連係デザイン領域対の前記第２のデザイン領域の前記背景と実質的に同一の背景を含み、前記第１の連係デザイン領域対の前記第２のデザイン領域の前記モチーフを含まない、請求項５に記載のシステム。
【請求項８】
前記第１の連係デザイン領域対の前記第１のデザイン領域又は前記第１の連係デザイン領域対の前記第２のデザイン領域は、それぞれの前記タイルの前記第１の寸法に沿って延びるデザイン要素を含む、請求項５〜７のいずれか１項に記載のシステム。
【請求項９】
前記デザイン要素は、バンド、ストライプ、一対の平行線、スクイグル、渦巻き、波形、曲線、又は任意の他の適当な形状である、請求項８に記載のシステム。
【請求項１０】
モジュラーテキスタイルシステムであって、
第１のタイル、第２のタイル及び第３のタイルを含む複数の別個のテキスタイルタイルを備え、前記第１のタイル、前記第２のタイル及び前記第３のタイルはそれぞれ、第１の方向に延びる第１の寸法、及び前記第１の方向に対して実質的に垂直な第２の方向に延びる第２の寸法を有し、
前記第１のタイル、前記第２のタイル及び前記第３のタイルの前記第１の寸法は実質的に同じであり、前記第１のタイル、前記第２のタイル及び前記第３のタイルの前記第２の寸法は実質的に同じであり、
前記第１のタイル、前記第２のタイル及び前記第３のタイルは全体で複数のデザイン領域を含み、前記デザイン領域が各タイルの前記第２の寸法にわたって別個の領域を画定するように、前記デザイン領域のそれぞれは、前記タイルのそれぞれの前記第１の寸法と同じ長さと、前記タイルのそれぞれの前記第２の寸法の一部に対応する幅とを有し、前記複数のデザイン領域はそれぞれ、タフテッド糸により画定された外観を有し、
前記複数のデザイン領域は、
第１の連係デザイン領域対であって、前記第１の連係デザイン領域対の前記デザイン領域はそれぞれ、前記第１のタイル及び前記第２のタイルのそれぞれの縁部を画定し、前記縁部は、前記第１のタイル及び前記第２のタイルの前記第１の寸法に沿って前記第１の方向に延びており、前記第１の連係デザイン領域対の前記デザイン領域の前記タフテッド糸は、前記第１の連係デザイン領域対の前記デザイン領域が互いに異なる外観を有するように構成される、第１の連係デザイン領域対と、
第２の連係デザイン領域対であって、前記第２の連係デザイン領域対の前記デザイン領域はそれぞれ、前記第２のタイル及び前記第３のタイルのそれぞれの縁部を画定し、前記縁部は、前記第２のタイル及び前記第３のタイルの前記第１の寸法に沿って前記第１の方向に延びており、前記第２の連係デザイン領域対の前記タフテッド糸は、前記第１の連係デザイン領域対の外観とは異なる外観を有するように構成される、第２の連係デザイン領域対とを含む、モジュラーテキスタイルシステム。
【請求項１１】
前記第２の連係デザイン領域対は、第１のデザイン領域及び第２のデザイン領域を含み、前記第２の連係デザイン領域対の前記第１のデザイン領域及び前記第２の連係デザイン領域対の前記第２のデザイン領域の前記タフテッド糸は、前記第２の連係デザイン領域対の前記第１のデザイン領域が、前記第２の連係デザイン領域対の前記第２のデザイン領域の前記外観と実質的に同じ外観を有するように構成される、請求項１０に記載のシステム。
【請求項１２】
前記第２の連係デザイン領域対は、第１のデザイン領域及び第２のデザイン領域を含み、前記第２の連係デザイン領域対の前記第１のデザイン領域及び前記第２の連係デザイン領域対の前記第２のデザイン領域の前記タフテッド糸は、前記第２の連係デザイン領域対の前記第１のデザイン領域が、前記第２の連係デザイン領域対の前記第２のデザイン領域の前記外観とは異なる外観を有するように構成される、請求項１０に記載のシステム。
【請求項１３】
前記第１の連係デザイン領域対は、第１のデザイン領域及び第２のデザイン領域を含み、
前記第１の連係デザイン領域対の前記第１のデザイン領域の前記タフテッド糸は、モチーフ及び背景を含むように構成され、
前記第１の連係デザイン領域対の前記第２のデザイン領域の前記タフテッド糸は、前記第１の連係デザイン領域対の前記第１のデザイン領域の前記背景と実質的に同一の背景を含み、前記第１の連係デザイン領域対の前記第１のデザイン領域の前記モチーフを含まないように構成される、請求項１０〜１２のいずれか１項に記載のシステム。
【請求項１４】
前記第１の連係デザイン領域対は、第１のデザイン領域及び第２のデザイン領域を含み、
前記第１の連係デザイン領域対の前記第２のデザイン領域の前記タフテッド糸は、モチーフ及び背景を含むように構成され、
前記第１の連係デザイン領域対の前記第１のデザイン領域の前記タフテッド糸は、前記第１の連係デザイン領域対の前記第２のデザイン領域の前記背景と実質的に同一の背景を含むが、前記第１の連係デザイン領域対の前記第２のデザイン領域の前記モチーフを含まないように構成される、請求項１０〜１２のいずれか１項に記載のシステム。
【請求項１５】
前記複数のデザイン領域の少なくとも一つの前記タフテッド糸は、それぞれの前記タイルの前記第１の寸法に沿って延びるデザイン要素を含む、請求項１０〜１４のいずれか１項に記載のシステム。
【請求項１６】
前記デザイン要素は、バンド、ストライプ、一対の平行線、スクイグル、渦巻き、波形、曲線、又は任意の他の適当な形状を備える、請求項１５に記載のシステム。
【請求項１７】
前記デザイン領域はそれぞれ、糸タイプ、別個の糸タイプの数、及びタフティング仕様の少なくとも１つによって少なくとも部分的に画定された構成を有し、
前記第１の連係デザイン領域対の前記デザイン領域は、互いに実質的に同じ構成を有し、
前記第２の連係デザイン領域対の前記デザイン領域は、互いに実質的に同じ構成を有する、請求項１０〜１６のいずれか１項に記載のシステム。
【請求項１８】
前記第１のタイルの前記デザイン領域と実質的に同じ構成を有する前記第２のタイルの前記デザイン領域は、前記第２のタイルの第１のデザイン領域であり、
前記第３のタイルの前記デザイン領域と実質的に同じ構成を有する前記第２のタイルの前記デザイン領域は、前記第２のタイルの第２のデザイン領域であり、
前記第２のタイルの前記第１のデザイン領域及び前記第２のデザイン領域は、前記第１の方向に延びる前記第２のタイルの両縁部を画定する、請求項１７に記載のシステム。
【請求項１９】
前記第２のタイルの前記第１のデザイン領域の前記構成、及び前記第２のタイルの前記第２のデザイン領域の前記構成は、互いに別個である、請求項１８に記載のシステム。
【請求項２０】
前記第１の連係デザイン領域対は、前記第１のタイル及び前記第２のタイルを互いに連係させ、
前記第２の連係デザイン領域対は、前記第２のタイル及び前記第３のタイルを互いに連係させ、
前記第２のタイルは、前記第１のタイル及び前記第２のタイルを互いに連係させる、請求項１〜１９のいずれか１項に記載のシステム。
【請求項２１】
前記第１のタイルは３つのデザイン領域を含み、
前記第２のタイルは３つのデザイン領域を含み、
前記第３のタイルは４つのデザイン領域を含む、請求項１〜２０のいずれか１項に記載のシステム。
【請求項２２】
前記第１のタイルの前記３つのデザイン領域は互いに別個であり、
前記第２のタイルの前記３つのデザイン領域は互いに別個であり、
前記第３のタイルの前記４つのデザイン領域は互いに別個である、請求項２１に記載のシステム。
【請求項２３】
複数の第１のタイルと、複数の第２のタイルと、複数の第３のタイルと、を含むテキスタイル設置物を形成するように配置される、請求項１〜２２のいずれか１項に記載のシステム。
【請求項２４】
長さ及び幅を有するテキスタイルウェブから形成される、請求項１又は１０に記載のシステムであって、
前記テキスタイルウェブは、前記テキスタイルウェブの前記長さに沿って延び、それぞれが複数のデザインパラメーターによって定められる前記複数のデザイン領域を備え、
前記デザイン領域は、
前記複数のデザイン領域の第１のデザイン領域が、前記複数のタイルの前記第１のタイルと前記第２のタイルとの間に割り当てられて前記第１の連係デザイン領域対を画定するように、及び
前記複数のデザイン領域の第２のデザイン領域が、前記複数のタイルの前記第２のタイルと前記第３のタイルとの間に割り当てられて前記第２の連係デザイン領域対を画定し、前記第１のタイル、前記第２のタイル及び前記第３のタイルが前記テキスタイルウェブの前記幅にわたって互いに隣接するように構成される、システム。
【請求項２５】
長さ及び幅を有するテキスタイルウェブを準備し、前記テキスタイルウェブの前記幅は、前記テキスタイルウェブの前記長さに沿って延びる第１のデザイン領域及び第２のデザイン領域を含む複数の別個のデザイン領域を含み、
前記第１のデザイン領域及び前記第２のデザイン領域がそれぞれ、それぞれの第１の部分及びそれぞれの第２の部分に分割されるように、前記テキスタイルウェブを、前記テキスタイルウェブの前記幅にわたって互いに実質的に隣接している前記第１のタイル、前記第２のタイル及び前記第３のタイルを含む前記複数のタイルに分割し、
前記第１のタイルが、前記第１のデザイン領域の前記第１の部分を含み、
前記第２のタイルが、前記第１のデザイン領域の前記第２の部分と前記第２のデザイン領域の前記第１の部分とを含み、
前記第３のタイルが、前記第２のデザイン領域の前記第２の部分を含み、
前記第１のデザイン領域の前記第１の部分及び前記第１のデザイン領域の前記第２の部分が、前記第１の連係デザイン領域対を画定し、
前記第２のデザイン領域の前記第１の部分及び前記第２のデザイン領域の前記第２の部分が、前記第２の連係デザイン領域対を画定する、方法から形成された請求項１又は１０に記載のシステム。
【請求項２６】
モジュラーテキスタイルシステムを作製する方法であって、
長さ及び幅を有するテキスタイルウェブを準備し、前記テキスタイルウェブの前記幅は、複数の別個のデザイン領域に分割され、前記デザイン領域はそれぞれ、前記テキスタイルウェブの前記長さと同じ長さと、前記テキスタイルウェブの前記幅の一部に対応する幅とを有し、前記複数のデザイン領域は、第１のデザイン領域及び第２のデザイン領域を含み、
前記第１のデザイン領域が、モチーフを含み、
前記第２のデザイン領域が、前記モチーフを含まず、
前記第１のデザイン領域及び前記第２のデザイン領域がそれぞれ、それぞれの第１の部分及びそれぞれの第２の部分に分割されるように、前記テキスタイルウェブを、前記テキスタイルウェブの前記幅にわたって互いに実質的に隣接している第１のタイル、第２のタイル及び第３のタイルを含む複数のタイルに分割し、
前記第１のタイルが、前記第１のデザイン領域の前記第１の部分を含み、
前記第２のタイルが、
前記第１のデザイン領域の前記第２の部分と、
前記第２のデザイン領域の前記第１の部分とを含み、
前記第３のタイルが、前記第２のデザイン領域の前記第２の部分を含む、方法。
【請求項２７】
前記第１のデザイン領域の前記第１の部分及び前記第１のデザイン領域の前記第２の部分は、実質的に同じ外観を有する、請求項２６に記載の方法。
【請求項２８】
前記テキスタイルウェブは、前記第１のデザイン領域の前記第１の部分及び前記第１のデザイン領域の前記第２の部分がそれぞれ前記モチーフ及び背景を備えるように、前記複数のタイルに分割される、請求項２７に記載の方法。
【請求項２９】
前記テキスタイルウェブは、前記第１のデザイン領域の前記第１の部分及び前記第１のデザイン領域の前記第２の部分の幅が異なるように、前記複数のタイルに分割される、請求項２７又は２８に記載の方法。
【請求項３０】
前記第１のデザイン領域の前記第１の部分及び前記第１のデザイン領域の前記第２の部分は、外観が異なる、請求項２６に記載の方法。
【請求項３１】
前記第１のデザイン領域の前記第１の部分は、前記モチーフ及び背景を含み、
前記第１のデザイン領域の前記第２の部分は、前記第１のデザイン領域の前記第１の部分の前記背景と実質的に同一の背景を含み、前記モチーフを含まない、請求項３０に記載の方法。
【請求項３２】
前記第１のデザイン領域の前記第２の部分は、前記モチーフ及び背景を含み、
前記第１のデザイン領域の前記第１の部分は、前記第１のデザイン領域の前記第２の部分の前記背景と実質的に同一の背景を含み、前記第１のデザイン領域の前記第２の部分の前記モチーフを含まない、請求項３０に記載の方法。
【請求項３３】
モジュラーテキスタイルシステムを作製する方法であって、
長さ及び幅を有するテキスタイルウェブを複数のタイルエリアに分割し、前記複数のタイルエリアは、実質的に同じサイズであると共に、前記テキスタイルウェブの前記幅にわたって位置している第１のタイルエリア、第２のタイルエリア及び第３のタイルエリアを含み、
前記テキスタイルウェブは、前記テキスタイルウェブの前記幅に沿って位置している複数のデザイン領域を含み、前記複数のデザイン領域はそれぞれ、幅を有すると共に、前記テキスタイルウェブの前記長さに沿って延び、
前記複数のデザイン領域が、
モチーフを含む第１のデザイン領域と、
前記モチーフを含まない第２のデザイン領域とを含み、
前記テキスタイルウェブを分割することは、
前記第１のデザイン領域が、前記第１のタイルエリアと前記第２のタイルエリアとの間に割り当てられ、前記第１のタイルエリアと前記第２のタイルエリアがそれぞれ前記第１のデザイン領域の一部を含むように、及び
前記第２のデザイン領域が、前記第２のタイルエリアと前記第３のタイルエリアとの間に割り当てられ、前記第２のタイルエリアと前記第３のタイルエリアがそれぞれ前記第２のデザイン領域の一部を含むように、前記テキスタイルウェブを分割することを含む、方法。
【請求項３４】
前記第１のタイルエリアへ割り当てられた前記第１のデザイン領域の前記一部と、前記第２のタイルエリアへ割り当てられた前記第１のデザイン領域の前記一部とがそれぞれ、前記モチーフを含むように、前記モチーフは、実質的に前記第１のデザイン領域の前記幅にわたって延びる、請求項３３に記載の方法。
【請求項３５】
前記第１のタイルエリアへ割り当てられた前記第１のデザイン領域の前記一部と、前記第２のタイルエリアへ割り当てられた前記第１のデザイン領域の前記一部との一方のみが、前記モチーフを含むように、前記モチーフは、部分的に前記第１のデザイン領域にわたって延びる、請求項３３に記載の方法。
【請求項３６】
前記第１のタイルエリア、前記第２のタイルエリア及び前記第３のタイルエリアがそれぞれ、前記モジュラーテキスタイルシステムの第１のタイル、第２のタイル及び第３のタイルを画定するように、前記テキスタイルウェブを切断することをさらに備える、請求項３３〜３５のいずれか１項に記載の方法。
【請求項３７】
前記複数のデザイン領域の内の少なくとも一つのデザイン領域が、それぞれの前記デザイン領域の前記第１の寸法に沿って延びるデザイン要素を含み、前記デザイン要素は、バンド、ストライプ、一対の平行線、スクイグル、渦巻き、波形、曲線、又は任意の他の適当な形状を備える、請求項２６〜３６のいずれか１項に記載の方法。
【請求項３８】
請求項２６〜３７のいずれか１項に記載の方法から形成されたモジュラーテキスタイルシステムであって、前記第１のタイル、前記第２のタイル及び前記第３のタイルを備える、モジュラーテキスタイルシステム。